(57)【要約】【課題】    複写機での複写に際して、特定の記載事項が複写されないようにするだけでは無く、その複写作業性に優れた複写補助具を提供することである。【解決手段】  ベース板１と、書類の端部のみを挟持する為、前記ベース板の一面側に設けられた挟持部２ａ，２ｂと、前記挟持部で挟持された書類の記載事項を複写機で複写するに際して特定の記載事項を隠す為、前記ベース板の一面側及び／又は他面側に設けられたマスク部４とを具備する複写補助具Ｓ。【選択図】  図１
0003111621.tif 000002
【実用新案登録請求の範囲】
【請求項１】
ベース板と、
書類の端部のみを挟持する為、前記ベース板の一面側に設けられた挟持部と、
前記挟持部で挟持された書類の記載事項を複写機で複写するに際して特定の記載事項を隠す為、前記ベース板の一面側及び／又は他面側に設けられたマスク部
とを具備することを特徴とする複写補助具。
【請求項２】
ベース板は、複写機にセットされた際に該複写機の自動用紙選択機構が作動して該複写機に内蔵の所定の大きさの用紙が選択され、該用紙に複写が行われる大きさに構成されてなることを特徴とする請求項１の複写補助具。
【請求項３】
ベース板は、複写機にセットされた際に該複写機の自動用紙選択機構が該ベース板のサイズ認識部を認識作動して該複写機に内蔵の所定の大きさの用紙が選択され、該用紙に複写が行われる大きさに構成されてなることを特徴とする請求項１の複写補助具。
【請求項４】
ベース板は、Ａ４版またはＢ５版の大きさであることを特徴とする請求項１〜請求項３いずれかの複写補助具。
【請求項５】
ベース板は透明材で構成されてなることを特徴とする請求項１〜請求項４いずれかの複写補助具。
【請求項６】
複数の書類に対応させる為、挟持部材およびマスク部が、前記各々の書類に対応して、かつ、独立して一つのベース板に設けられてなることを特徴とする請求項１〜請求項５いずれかの複写補助具。
【請求項７】
挟持部は、その幅が０．５〜２ｃｍで、その長さが０．５〜２ｃｍであることを特徴とする請求項１〜請求項６いずれかの複写補助具。
【請求項８】
マスク部が移動可能に設けられてなることを特徴とする請求項１〜請求項７いずれかの複写補助具。
【請求項９】
マスク部がゴムバンドで構成されてなることを特徴とする請求項１〜請求項８いずれかの複写補助具。
【考案の詳細な説明】
【技術分野】
【０００１】
本考案は、例えば運転免許証、健康保険証、パスポート、その他の身分証などの書類を複写するに際して、特定記載事項が複写されないようにする為の複写補助具に関する。
【背景技術】
【０００２】
運転免許証、健康保険証、パスポート等には、顔写真、氏名、本籍、住所などの本人確認用の種々の個人情報が記載されている。従って、これらの書類は、個人の身分を証明する為に用いられる。例えば、携帯電話を購入する際、或いは銀行口座の開設の際、その他にも特定の契約の手続きに際して、身分証明を求められた場合に、前記の書類は、しばしば、用いられている。そして、後日の為に、相手方は、了解を得て、その身分証を複写している。
【０００３】
さて、身分証を複写する際、或る特定の記載事項のみが複写されておれば十分であり、身分証に記載の全ての事項が複写されてなくても良いことは多い。例えば、本籍地や家族名と言った事項まで複写されるのは、その本人にしてみれば、余り愉快なものでは無い。
【０００４】
このような観点から、身分証を収納し、身分証を収納した状態で、該身分証の記載事項の所定情報と重なる位置に、該所定情報を隠す為のマスクを備えたことを特徴とする身分証ホルダーが提案されている。
【０００５】
この身分証ホルダーＹは、図４に示される如く、透明なフィルム３１を二つ折りにした構成を有し、その寸法は、運転免許証より若干大きく、例えば縦５．５〜７ｃｍ、横１０〜１２ｃｍである。そして、フィルム３１の一辺３２は溶着などにより互いに接着されている。すなわち、ほぼ長方形の透明フィルム３１が、２枚に重なるように折り畳まれ、折畳辺３３に隣接の一辺３２が溶着などにより接続されている。そして、折り畳まれたフィルム３１とフィルム３１との間に身分証Ｚを収納できるようになっている。更に、身分証ホルダーＹの一角３４（溶着辺３２と折畳辺３３との交差点）に身分証Ｚの角が位置するように身分証Ｚが収納された収納状態において、収納された身分証Ｚの特定記載事項、例えば本籍記載欄に重なるようにマスク３５が設けられている。尚、マスク３５は、例えば幅０．３ｃｍ、長さ９．０ｃｍで、白い塗料をコーティングすることにより形成されたものである。これにより、身分証ホルダーＹに身分証Ｚを収納した際、本籍地欄がマスク３５により隠されるから、複写機で複写しても、身分証Ｚに記載の本籍地事項は複写されないものとなる。
【特許文献１】特許第３３８６７７４号
【考案の開示】
【考案が解決しようとする課題】
【０００６】
さて、上記提案の技術によれば、身分証ホルダーＹに収納した状態で身分証Ｚを複写機で複写した場合、特定の記載事項が複写されないようにしてなるから、身分証Ｚの保持者は必要以外の箇所の情報が相手方に保管されないようになり、好ましい。
【０００７】
そして、この身分証ホルダーＹを用いた場合、身分証Ｚに記載されている記載事項の中、複写が望まれない事項を、一々、紙やテープ等で隠して複写する場合に比べたならば、その作業性が良いと謳われている。
【０００８】
しかしながら、この提案の身分証ホルダーＹを用いても、複写作業性が悪い。
【０００９】
すなわち、上記提案の身分証ホルダーＹに身分証Ｚを収納する場合、その収納具合が完璧なものでなければ、即ち、多少の位置ズレが起きただけでも、マスク位置がズレ、例えば本籍地欄の記載事項が複写されてしまうことになる。
【００１０】
従って、収納状態における位置具合は非常に重要である。
【００１１】
しかしながら、二枚の矩形状のフィルム３１，３１の二辺３２，３３が互いに接着されてなる袋状の身分証ホルダーＹ中に、互いの角同士が正確に合致するように身分証Ｚを収納するのは、容易なことでは無い。すなわち、スピーディ、かつ、正確に収納することは容易では無い。
【００１２】
特に、免許証のような書類は、その記載事項欄の側がフィルムでラミネート加工されていることが多い。このような場合、フィルム同士の間でくっ付き現象が起き易く、滑り込ませ難い。従って、二枚の矩形状のフィルム３１，３１の二辺３２，３３が互いに接着されてなる袋状の身分証ホルダーＹ中に、互いの角同士が正確に合致するように身分証Ｚを収納するのは、大変である。すなわち、スピーディ、かつ、正確に収納することは容易では無い。
【００１３】
更に、上記提案の身分証ホルダーＹは、その大きさが縦５．５〜７ｃｍ、横１０〜１２ｃｍ程度のものである。このような運転免許証より若干大きな程度のものであると、身分証Ｚを収納した身分証ホルダーＹを複写機にセットして複写しようとした場合、次のような問題が起きる。すなわち、複写機は、通常、自動用紙選択機能が備わっている。そして、通常時は、この自動用紙選択機能が作動している。つまり、Ａ４版の大きさの原稿を複写しようとすると、複写機に内蔵のＡ４版の用紙に自動的に複写され、Ｂ５版の大きさの原稿を複写しようとすると、複写機に内蔵のＢ５版の用紙に自動的に複写され、Ｂ４版の大きさの原稿を複写しようとすると、複写機に内蔵のＢ４版の用紙に自動的に複写される。これに対して、規格外の大きさの原稿がセットされた場合には、自動用紙選択機能が対応できないことから、どの大きさの用紙に複写するかを指定しなければならないようになっている。従って、縦５．５〜７ｃｍ、横１０〜１２ｃｍ程度の身分証ホルダーＹを複写機にセットした場合、自動用紙選択機能が対応できないことから、複写に用いる用紙を指定してやらなければならない。ところが、通常、自動用紙選択機能での複写に慣れ親しんでいることから、このような規格外の大きさのものを複写するのは、以外と厄介で、手間が掛かっている。すなわち、複写作業性が悪い。
【００１４】
そこで、自動用紙選択機能での複写に対応できるようにする為、身分証ホルダーＹをＢ５版やＡ４版の大きさのものにすると、Ｂ５版やＡ４版の大きさの身分証ホルダーＹに比べて身分証Ｚが余りにも小さいものであることから、二枚の矩形状のフィルム３１，３１の二辺３２，３３が互いに接着されてなる袋状の身分証ホルダーＹ中に、互いの角同士が正確に合致するように身分証Ｚを収納するのは、非常に厄介である。スピーディ、かつ、正確に収納することは不可能と言っても過言では無い。
【００１５】
上記した通り、複写に際して、身分証の特定事項が複写されないようにする為、収納タイプの身分証ホルダーＹを用いるのでは、その複写作業性が悪い。
【００１６】
従って、本考案が解決しようとする課題は、複写機での複写に際して、特定の記載事項が複写されないようにするだけでは無く、その複写作業性に優れた複写補助具を提供することである。
【課題を解決するための手段】
【００１７】
前記の課題は、ベース板と、
書類の端部のみを挟持する為、前記ベース板の一面側に設けられた挟持部と、
前記挟持部で挟持された書類の記載事項を複写機で複写するに際して特定の記載事項を隠す為、前記ベース板の一面側及び／又は他面側に設けられたマスク部
とを具備することを特徴とする複写補助具によって解決される。
【００１８】
又、ベース板と、
書類の端部のみを挟持する為、前記ベース板の一面側に設けられた挟持部と、
前記挟持部で挟持された書類の記載事項を複写機で複写するに際して特定の記載事項を隠す為、前記ベース板の一面側及び／又は他面側に設けられたマスク部とを具備し、
前記ベース板は、複写機にセットされた際に該複写機の自動用紙選択機構が作動して該複写機に内蔵の所定の大きさの用紙が選択され、該用紙に複写が行われる大きさに構成されてなる
ことを特徴とする複写補助具によって解決される。
【００１９】
又、ベース板と、
書類の端部のみを挟持する為、前記ベース板の一面側に設けられた挟持部と、
前記挟持部で挟持された書類の記載事項を複写機で複写するに際して特定の記載事項を隠す為、前記ベース板の一面側及び／又は他面側に設けられたマスク部とを具備し、
前記ベース板は、複写機にセットされた際に該複写機の自動用紙選択機構が該ベース板のサイズ認識部を認識作動して該複写機に内蔵の所定の大きさの用紙が選択され、該用紙に複写が行われる大きさに構成されてなることを特徴とする複写補助具によって解決される。
【００２０】
特に、複写補助具のベース板がＡ４版またはＢ５版の大きさである上記複写補助具によって解決される。そして、このような大きさのものとした場合、一つのベース板に複数組の挟持部とマスク部とを各々設けることが出来る。このように構成させた場合、幾つかのものを、同時に、複写する時にも用いることが出来る。又、ベース体は書類に対して、常に、同じ側に在り、複写に際して、まごつかず、作業性良く行なえる。
【００２１】
又、本考案の複写補助具のベース板が透明材で構成されなる上記複写補助具によって解決される。
【００２２】
又、本考案の複写補助具の挟持部の幅が０．５〜２ｃｍ（特に、１．５ｃｍ以下）で、長さが０．５〜２ｃｍ（１ｃｍ以下）である上記複写補助具によって解決される。
【００２３】
又、本考案の複写補助具のマスク部が移動可能に設けられてなる上記複写補助具によって解決される。
【００２４】
又、本考案の複写補助具のマスク部がゴムバンドで構成されてなる上記複写補助具によって解決される。
【考案の効果】
【００２５】
ベース板と、書類の端部のみを挟持する為、前記ベース板の一面側に設けられた挟持部と、前記挟持部で挟持された書類の記載事項を複写機で複写するに際して特定の記載事項を隠す為、前記ベース板の一面側及び／又は他面側に設けられたマスク部とを具備する本考案の複写補助具は、特許第３３８６７７４号の如きの収納タイプでは無いことから、身分証などの書類をベース板上に配置する作業性が格段に向上する。
【００２６】
例えば、フィルムでラミネート加工されている免許証を複写するような場合、特許第３３８６７７４号提案のものでは、身分証ホルダーＹのフィルム３１面と免許証表面のラミネートフィルム面とが密着してくっ付き、スムーズに滑り込ませ難い。
【００２７】
しかしながら、本考案のものにあっては、特許第３３８６７７４号の如きの収納タイプでは無いから、フィルムでラミネート加工されている免許証のような場合でも、複写補助具の挟持部とベース板との間に滑り込ませる際の抵抗が小さく、スムーズに滑り込ませることが出来る。従って、複写作業性に優れている。
【００２８】
特に、免許証をコピー用紙にコピーされたものが持ち込まれた場合にあっては、このような腰の弱いコピー用紙を特許第３３８６７７４号の如きの収納タイプの中に収納する（滑り込ませる）のは非常に厄介である。
【００２９】
これに対して、腰が弱いコピー用紙をセットするような場合でも、本考案のものでは、スムーズに対応できる。
【００３０】
そして、ベース板を、複写機にセットした際に該複写機の自動用紙選択機構が作動して該複写機に内蔵の所定の大きさの用紙が選択され、該用紙に複写が行われるように構成させていた場合、例えばベース板の大きさをＡ４版とかＢ５版の大きさのものとしておいた場合、免許証をセットした本考案の複写補助具を複写機にセットして複写ボタンを押すのみで、自動的に、その大きさ、例えばＡ４版かＢ５版の大きさのコピー用紙が選択されて複写が行われ、複写作業が実にスムーズに行われる。尚、Ａ３版、Ａ４版、Ａ５版、Ｂ４版、Ｂ５版などの大きさも考えられるが、複写した書類の保管性を考慮すると、Ａ４版かＢ５版の大きさのものが最も好都合である。
【００３１】
尚、本考案の複写補助具におけるベース板は、基本的には、透明材で構成される。
【００３２】
又、本考案の複写補助具におけるマスク部を移動可能、例えばスライド可能にしておくと、複写してはならない箇所が書類によって異なるような場合にも簡単に対応でき、好都合である。例えば、免許証がＡ４版のコピー用紙に複写されたものが持って来られた場合、この複写書類の端縁から本籍地欄までの距離と免許証の端縁から本籍地欄までの距離とは異なっている場合が多いものの、このような場合でも、マスク部が本籍地欄に対応するようスライド移動させてやれば、本籍地欄を複写しないようにすることが簡単に出来る。
【考案を実施するための最良の形態】
【００３３】
図１及び図２は本考案になる複写補助具の一実施形態を示すもので、図１は上側から見た平面図、図２は免許証をセットした状態で下側から見た底面図である。
【００３４】
本考案になる複写補助具Ｓは、透明なプラスチック樹脂で構成されたベース板１を有する。このベース板１は、例えばＡ４版の大きさである。
【００３５】
２ａ，２ｂは、ベース板１の一端部側に設けられたクリップ（挟持部材）である。この挟持部材２ａ，２ｂは、その幅ｘが１０ｍｍで、その長さｙが７ｍｍであり、そしてその自由端である先端部側が多少の弾性を有している。従って、ベース板１と挟持部材２ａ，２ｂとの間に、例えば免許証などの身分証や紙などの書類が差し込まれると、この書類の端部がベース板１と挟持部材２ａ，２ｂとで挟持されるようになっている。尚、この挟持部材２ａ，２ｂは、その先端側３ａ，３ｂが上側に反り返っており、書類を差し込み易いようになっている。
【００３６】
４は、例えば白色に塗られた不透明なマスクである。すなわち、図１に示す如く、例えば免許証Ｔをベース板１と挟持部材２ａ，２ｂとの間に差し込んだ場合、免許証Ｔの本籍地欄がマスク４で隠されるようになる位置にマスク４は設けられている。
【００３７】
５は、透明なベース板１の所定位置、即ち、複写機の自動用紙選択機構のセンサがベース板１の大きさを認識する所定位置、例えばベース板１の周縁部に設けられたマーカ（サイズ認識部）である。すなわち、複写機にベース板１がセットされた場合、このマーカ５を複写機の自動用紙選択機構のセンサが検出するようになるので、ベース板１の大きさのコピー用紙が選択され、そのコピー用紙に複写が行なわれるようになる。尚、ベース板１の透明度によってはベース板１の存在を複写機の自動用紙選択機構のセンサが検出できる場合も有り、このような場合にはベース板１の透明度がマーカ５の役割を奏するものとなる。又、ベース板１の厚さによってはベース板１の存在を複写機の自動用紙選択機構のセンサが検出できる場合も有り、このような場合にはベース板１の厚さがマーカ５の役割を奏するものとなる。
【００３８】
上記のように構成させた複写補助具Ｓを用いて免許証Ｔをコピーする場合について説明する。
【００３９】
顧客から免許証Ｔを複写する了解を得た者は、先ず、複写補助具Ｓのベース板１と挟持部材２ａ，２ｂとの間に免許証Ｔを差し込む。これによって、免許証Ｔは複写補助具Ｓに保持される。
【００４０】
次に、免許証Ｔが保持されている複写補助具Ｓを裏側（免許証Ｔとは反対側）から眺め、免許証Ｔの本籍地欄がマスク４によって覆われているか否かをチェックする。本籍地欄が完全に覆われていない場合には、本籍地欄が完全に覆われるように免許証の位置を直す。
【００４１】
この後、免許証Ｔが保持されている複写補助具Ｓを複写機にセットし、複写開始ボタンを押す。これによって、複写が開始され、複写機の自動用紙選択機構が作動し、ベース板１の大きさに相当するＡ４版のコピー用紙が選択され、Ａ４版のコピー用紙に免許証が複写される。尚、この複写に際しては、本籍地欄はマスク４で覆われているから、本籍地欄の記載事項は複写されない。
【００４２】
尚、上記の説明においては、免許証の本籍地欄に記載の事項が複写されないようにする場合で説明した。この複写されることを望まないのが他の事項であれば、それに対応した位置にマスク４は設けられるようにしておけば良い。又、免許証の場合で説明しているが、これは保険証、その他の書類であっても良いことは勿論である。
【００４３】
又、上記実施形態にあっては、マスク４はベース板１に不透明塗料を塗布することで設けられたものであるが、これに限られるものでは無い。例えば、上記マスクと同様な大きさで、両端部に嵌合用の凸部が設けられた不透明なマスク板を用意しておき、このマスク板の凸部をベース板１の両端部に形成した溝内に嵌め込んでスライド出来るようにしておいても良い。そして、このように構成させた場合には、マスク４の位置を調整できるから、一つの複写補助具Ｓを幾つかのタイプの身分証の複写に用いることが出来る。勿論、特定の位置で仮ロックが掛かるように凹凸機構をマスク板の凸部とベース板１の溝とに構成しておくことも考えられる。
【００４４】
又、マスク４を白色のゴムハンドで構成することも出来る。すなわち、透明ベース板１に対して輪状のゴムバンドを嵌めることによってマスク４を構成できる。このようにした場合、ゴムバンドの位置を移動させることが出来る。そして、免許証が複写されたコピー用紙を複写する場合、コピー用紙のどのような位置に免許証がコピーされていても、その用紙を特定箇所がマスクされるように本考案の複写補助具にセットするのが簡単である。
【００４５】
又、上記実施例にあっては、ベース板１の大きさがＡ４版の場合で説明した。しかしながら、ベース板１の大きさを免許証などの身分証の大きさにすることも出来る。
【００４６】
図３は、本考案になる複写補助具の他の実施形態を示す平面図である。
【００４７】
本実施形態の複写補助具は、クリップ（挟持部材）と不透明なマスクとが一つのベース板に二組設けられたものである。
【００４８】
クリップ（挟持部材）１２ａ，１２ｂは、透明なベース板１１の一端側に設けられたものである。そして、例えば白色に塗られた不透明なマスク１３ａは、クリップ（挟持部材）１２ａ，１２ｂで裏返しの免許証Ｔを挟持した場合、免許証Ｔの本籍欄がマスクされるように設けられたものである。
【００４９】
クリップ１２ｃ，１２ｄは、透明なベース板１１の他端側に設けられたものである。そして、例えば白色に塗られた不透明なマスク１３ｂは、クリップ（挟持部材）１２ｃ，１２ｄで裏返しの免許証Ｔを挟持した場合、免許証Ｔの本籍欄・住所欄がマスクされるように設けられたものである。又、白色に塗られた不透明なマスク１４は、クリップ（挟持部材）１２ｃ，１２ｄで裏返しの免許証Ｔを挟持した場合、免許証Ｔの免許条件欄がマスクされるように設けられたものである。
【００５０】
すなわち、本実施形態の複写補助具にあっては、一つのもので二種類のものに対応できるようになっている。特に、使用に際して、間違いが起き易い兼用タイプでは無く、独立タイプのものである。つまり、ベース板の一端側に第１タイプ用のものが、他端側に第２タイプ用のものが設けられ、第１タイプ用の構成部分と第２タイプ用の構成部分とがオーバーラップしないようになっている。
【００５１】
又、ベース板１１の大きさについては、格別に規定していないが、これはＡ４版あるいはＢ５版の大きさであっても良いことは勿論である。
【図面の簡単な説明】
【００５２】
【図１】本考案になる複写補助具の平面図
【図２】本考案になる複写補助具の底面図
【図３】本考案になる複写補助具の他の実施形態の平面図
【図４】従来の身分証ホルダーの説明図
【符号の説明】
【００５３】
Ｓ            複写補助具
Ｔ            免許証
１            ベース板
２ａ，２ｂ    挟持部材
４            マスク
代  理  人  宇      高      克      己
【図１】
0003111621.tif 000003
【図２】
0003111621.tif 000004
【図３】
0003111621.tif 000005
【図４】
0003111621.tif 000006